(57)【要約】      （修正有）【課題】より多様で面白味を備えた応用が可能となる風船ホルダーを提供する。【解決手段】風船ホルダー１０はホルダー体１１、軸柱２０により構成される。ホルダー体１１は開口が上向きの中空半円体で、ホルダー体外部の最底縁には小面積底平面１２を設置する。軸柱２０は垂直上向きにホルダー体内部の最底縁面に設置され、軸柱の底端とホルダー体とは一体に連接される。軸柱の上端にはフック槽を設置する。風船ホルダーはフック槽によりエアを充填した風船を引っ掛け、半円のホルダー体を風船の底部に結合する。風船ホルダーを平面に置くと、無風状態では風船は静止不動し、風に吹き動かされると、風船は底部半円ホルダー体と連動し風に従いスイングする。【選択図】図１
0003201868.tif 000002
【実用新案登録請求の範囲】
【請求項１】
風船ホルダーであって、ホルダー体、少なくとも1個の軸柱を有し、
前記ホルダー体は、中空半円体で、前記ホルダー体の円形開口は、上向きで、前記ホルダー体外部の最底縁には、小面積底平面を設置し、
前記少なくとも１個の軸柱は、前記ホルダー体内部の最底縁面中央に垂直に上向きに設置され、前記軸柱底端と前記ホルダー体とは、一体に連接され、前記軸柱上端には、フック槽を設置し、
前記風船ホルダーにおいて、前記軸柱上端のフック槽によりエア充填後の風船を引っ掛け、半円のホルダー体に風船底部を結合し、
前記風船ホルダーを平面に置くと、無風状態では風船は不動の安定平衡状態に維持され、
風に吹き動かされると、風船は底部半円ホルダー体を連動し風に従いスイングさせ、
最後には、静止不動の安定平衡状態を回復し、
こうして、前記風船は起き上がり小法師の動作を行うことを特徴とする風船ホルダー。
【請求項２】
前記ホルダー体は、前記半円形ホルダー体内縁面の相互に対称する位置に、多数の軸柱とフック槽を設置することを特徴とする請求項１に記載の風船ホルダー。
【請求項３】
前記軸柱上には、少なくとも１個の重力リングを嵌めて設置することを特徴とする請求項１或いは２に記載の風船ホルダー。
【請求項４】
前記ホルダー体の開口は、環状平面に形成し、前記ホルダー体開口端と前記風船との接触面積を拡大し、
前記環状平面上には、繰り返し使用可能な粘着部材を設置し、風船を連接することを特徴とする請求項１に記載の風船ホルダー。
【請求項５】
前記ホルダー体の環状平面上には、繰り返し粘着と剥離が可能な連接部材を設置し、非風船類の他の玩具を結合することを特徴とする請求項１或いは４に記載の風船ホルダー。
【考案の詳細な説明】
【技術分野】
【０００１】
本考案は風船ホルダーに関し、特にエアを充填した風船底部を結合することで、風船は外力に従いスイングし或いは静止不動時には特定姿勢或いは角度の平衡状態を維持し、風船の面白味と多様性を大幅に拡大し、商業用途における風船の応用範囲を拡大する風船ホルダーに関する。
【背景技術】
【０００２】
風船は、基本的に風船内に空気、ヘリウム或いは水素を入れて、軽量な球体としたものである。
後者の気体を使用した場合には、口を封鎖後は、紐で縛り、風船を空中に漂わせることができる。
この種の基本的形態の風船は、しばしば子供用玩具に応用される。
単独の一個の風船であろうと、多数の風船を集めたものであろうと、すべてこの空中に浮遊する効果を有する。
風船の中には、表面にアニメキャラクターなどの図案を印刷し、口封鎖端を握り棒に連接し、手で持つことができるものもある。
さらに、特殊形状の風船を使用し、或いは異なる形状の多数の風船を組み合わせて使用する場合もあり、さまざまな会場の装飾や商業的な広告等の用途に応用されている。
【０００３】
上述の風船の伝統的な応用において、浮遊する効果を備える風船は、空気より軽い気体を注入し、特殊造形の風船は技術を用いて特殊形状の風船を生産し、或いは専門のスタッフが異なる形状の多数の風船を組み合わせて、複雑で多様な形状を生み出している。
しかし、上記した構造以外に、他の面白味を備えた応用は今のところ開発されていない。
【０００４】
風船に類似した商品に、空気充填式の起き上がり小法師がある。
その基礎構造は、空気を充填できるエアチューブを有する。
エアチューブ内部に設置する錘により、エアチューブの重心を底部に集中させることで、エア充填後は、このエアチューブは、揺れながら倒れないという特徴を備える。
【０００５】
けれども、この種のエア充填起き上がり小法師の最大の欠点は、製造が面倒で時間がかかる点で、特殊な材料を用いなければ、エアチューブを損壊しにくく製造することはできない。
そのため、該構造はコストが高くつき、且つ外観の変化が乏しい。
さらに、破損しても、局部だけを交換するということができないため、上記の廉価で多様性に富む風船に比べ、実際の応用においてかなり劣ると言わざるを得ない。
【考案の概要】
【考案が解決しようとする課題】
【０００６】
本考案の主要な目的は、エアを充填した風船底部を結合することで、風船は外力に従いスイングし或いは静止不動時には特定姿勢或いは角度の平衡状態を維持し、風船の面白味と多様性を大幅に拡大し、商業用途における風船の応用範囲を拡大する風船ホルダーを提供することにある。
【０００７】
本考案の次の目的は、各種異なる玩具の底部に結合でき、もともと静態の玩具に、動態効果を持たせることができ、全く新しい構造の風船ホルダーを提供することにある。
【課題を解決するための手段】
【０００８】
考案による風船ホルダーは、ホルダー体、軸柱により構成される。
該ホルダー体は、開口が上向き中空半円体で、該ホルダー体外部の最底縁には、小面積底平面を設置する。
該軸柱は、該ホルダー体内部の最底縁面中央に垂直に上向きに設置され、該軸柱底端と該ホルダー体とは、一体に連接され、該軸柱上端にはフック槽を設置する。
【０００９】
本考案の風船ホルダーは、あらゆる材料を使用し製造できるが、最も好ましくは、熱可塑性を備えるプラスチック類で、成型後の風船ホルダーの重量は軽量な風船より重い。
風船を風船ホルダーに結合する時には、該軸柱上端のフック槽を利用し、エア充填後の風船の封鎖端を該フック槽内に引っ掛ければ、取り付けを完了することができる。
こうして、風船の球形体が風船ホルダーのホルダー体開口に緊密に接触し、該半円形ホルダー体が風船底部に結合する形態を形成する。
【００１０】
風船ホルダーを平面に置くと、無風状態では、該ホルダー体の底平面により、該風船ホルダー及び該風船は静止し不動で、或いは風が吹くと、或いは外力で押されると、風船底部は該半円ホルダー体を連動し風向、或いは外力に従わせて揺らし、最後には静止状態を回復する。
該半円形ホルダー体の設計により、風船は起き上がり小法師と相同の動作を行うことができる。
【００１１】
本考案の風船ホルダーにより、各種異なる形状、色彩の風船を結合でき、エア充填後には封鎖端を該軸柱上端のフック槽内に引っ掛ければ取り付けを完了し、起き上がり小法師を構成できる。
且つ異なる風船に随時交換でき、便利で迅速な操作で、子供用玩具に最適で、或いは商店の入り口で客を迎える人形等にも適しており、或いは各種組合せ式の風船を選択することで、起き上がり小法師の形態で各種会場の装飾や商業広告に用いることができる。
こうして、風船は応用においてより幅広い変化性と面白味を達成することができる。
【００１２】
実際の使用においては、本考案の風船ホルダーは中空ホルダー体内に、設計上十分な空間を保留するため、ある種の錘を入れて、全体的な重量を拡大することができる。
例えば、該軸柱上に、一個或いは多数の金属重力リングを嵌めて設置することで、該風船ホルダーの揺れる動作の重心はより安定する。
【００１３】
実際の製造では、本考案の風船ホルダー内部構造は、いくらかの改変を加えることで使用機能を強化でき、例えば半円形ホルダー体内縁面の相互に対称する位置には、より多くの軸柱とフック槽を増設する。
これにより、同一の風船ホルダー上に、多数の風船を組み付けられ、或いは風船ホルダーのある軸柱上に金属重力リングを嵌めて設置し、これにより該風船ホルダーの重心は偏向し、固定スイング方向或いは姿勢の平衡状態を維持し、特殊なニーズの商業広告用途に応用することができる。
【００１４】
後述の異なる実施形態では、本考案の風船ホルダーは、ホルダー体の開口端を環状平面に設計し、ホルダー体開口端と風船との接触面積を拡大することができる。
こうして、該環状平面を利用し、各種粘着方式により風船を取り付け、例えば繰り返し粘着が可能な粘着テープを利用して、風船ホルダーと風船とを一体に連接することで、フック方式により風船の取り付けを不要とすることができる。
【００１５】
本実施形態において、該ホルダー体開口端の環状平面上には、マジックテープ（登録商標）などの繰り返し粘着と剥離が可能な連接部材を設置することができ、これにより、本考案の風船ホルダーにはぬいぐるみ、ロボット玩具、人形等の他の各種玩具の底部を結合でき、これらもともと静態であった玩具は、起き上がり小法師の形態となり、その面白味を大幅に増強することができる。
【考案の効果】
【００１６】
本考案による風船ホルダーは、エアを充填した風船底部を結合することで、風船は外力（風力など）に従いスイングし或いは静止不動時には特定姿勢或いは角度の平衡状態を維持し、風船の面白味と多様性を大幅に拡大し、商業用途における風船の応用範囲を拡大することができる。
【図面の簡単な説明】
【００１７】
【図１】本考案の一実施形態による風船ホルダーの立体外観図である。
【図２】本考案の一実施形態による風船ホルダーに風船を結合した時の模式図である。
【図３】本考案の一実施形態による風船ホルダーにおいて、風船が外力に従いスイングする様子の模式図である。
【図４】本考案の一実施形態による風船ホルダーのホルダー体の断面立体図である。
【図５】本考案の一実施形態による風船ホルダーにおいて軸柱に風船を引っ掛ける様子を示す模式図である。
【図６】本考案の一実施形態による風船ホルダーの軸柱上に重力リングを嵌めて設置する様子を示す使用例図である。
【図７】本考案第二実施形態による風船ホルダーの立体外観図である。
【図８】本考案第二実施形態による風船ホルダーに組合せ式風船を結合する様子の立体図である。
【考案を実施するための形態】
【００１８】
図１及び図４に示す通り、本考案の風船ホルダー１０は、ホルダー体１１、軸柱２０により構成される。
【００１９】
ホルダー体１１は、中空半円体で、ホルダー体１１の円形開口１３は、上向きである。
ホルダー体１１外部の最底縁には、小面積底平面１２を設置する。
【００２０】
軸柱２０は、ホルダー体１１内部の最底縁面中央に垂直に上向きに設置される。
軸柱２０底端とホルダー体１１とは、一体に連接され、図４に示す通り、軸柱２０上端には、フック槽２１を設置する。
【００２１】
風船ホルダー１０は、あらゆる材料を使用し製造することができる。
最も好ましい製造材料は、熱可塑性を備えるプラスチック類で、成型後の風船ホルダー１０の重量は、軽量な風船３０より大きい（図２参照）。
【００２２】
図２、図３、図５に示す通り、風船３０を風船ホルダー１０に結合する時には、軸柱２０上端のフック槽２１を利用し、エア充填後の風船３０の封鎖端を、フック槽２１内に引っ掛ける（図５参照）。
風船３０の球形体は、風船ホルダー１０のホルダー体開口１３に緊密に接触し、半円形ホルダー体１１が風船３０底部に結合する形態を形成する（図２参照）。
【００２３】
風船ホルダー１０を平面に置くと、無風状態であれば、ホルダー体１１の底平面１２は、風船ホルダー１０及び風船３０を、不動の安定平衡状態に維持する（図２参照）。
或いは風に吹かれ、或いは外力により押されると、風船３０は、底部半円ホルダー体１１を連動し風向或いは外力に従わせて揺らす（図３参照）。
最終的には、不動の安定平衡状態を回復する。
半円形ホルダー体１１の設計により、軽量な風船３０は、起き上がり小法師と相同の動作を行うことができる。
【００２４】
本考案の風船ホルダー１０は、実際の必要に応じて、風船ホルダー１０の中空ホルダー体１１内に、ある種の錘を入れて、全体的な重量を拡大することができる。
最適実施形態は、図６に示す通り、軸柱２０上に、一個或いは多数の金属重力リング４０を嵌めて設置する。
これにより、風船ホルダー１０の揺れる動作の重心はより安定する。
【００２５】
本考案の風船ホルダー１０は、半円形ホルダー体１１内縁面の対称位置に、より多くの軸柱２０とフック槽２１を増設する。
これにより、同一の風船ホルダー１０上に、多数の風船３０を組み付けられる。
或いは風船ホルダー１０内部のある軸柱２０上に、金属重力リング４０を嵌めて設置し、これにより風船ホルダー１０の重心は偏向し、風船３０は特定の傾斜角度範囲内でスイング動作を行い、特殊なニーズの商業広告用に応用することができる。
【００２６】
図７は、本考案風船ホルダー１０の第二実施形態の立体外観図である。
【００２７】
図８は、本考案第二実施形態に、組合せ式風船５０を結合させた時の模式図である。
【００２８】
図７に示す実施形態では、ホルダー体１１の開口１３を、環状平面１４に形成する。
環状平面１４を利用し、ホルダー体１１開口端と組合せ式風船５０との接触面積を拡大し、同時に、環状平面１４を利用し、各種粘着方式により風船を連接する。
これにより、フック方式により風船を組み合わせる他、例えば、繰り返し粘着が可能な粘着テープを使用し、風船ホルダー１１と組合せ式風船５０を一体に連接することもできる。
【００２９】
実施形態の風船ホルダー１０において、ホルダー体１１開口端の環状平面１４上には、マジックテープ（登録商標）などの繰り返し粘着と剥離が可能な連接部材を設置することができる。
これにより、本考案の風船ホルダー１０は、ぬいぐるみ、ロボット玩具、人形等の他のさまざまな玩具の底部に結合できる。
こうして、もともと静態玩具であったものが、スイング可能な起き上がり小法師玩具となり、面白味を大幅に増強することができる。
【００３０】
前述した本考案の実施形態は本考案を限定するものではなく、よって、本考案により保護される範囲は後述される実用新案登録請求の範囲を基準とする。
【符号の説明】
【００３１】
１０  風船ホルダー
１１  ホルダー体
１２  底平面
１３  開口
１４  環状平面
２０  軸柱
２１  フック槽
３０  風船
４０  重力リング
５０  組合せ式風船
【図１】
0003201868.tif 000003
【図２】
0003201868.tif 000004
【図３】
0003201868.tif 000005
【図４】
0003201868.tif 000006
【図５】
0003201868.tif 000007
【図６】
0003201868.tif 000008
【図７】
0003201868.tif 000009
【図８】
0003201868.tif 000010